(57)【要約】      （修正有）【課題】光学レンズ分野に関し、良好な光学性能を有すると共に、大口径、極薄化及び広角化の設計要求を満たすことができる撮像光学レンズを提供する。【解決手段】当該撮像光学レンズ１０は、物体側から像側に向かって順に、絞りS１、正の屈折力を有する第１レンズL１、負の屈折力を有する第２レンズL２、正の屈折力を有する第３レンズL３、負の屈折力を有する第４レンズL４、正の屈折力を有する第５レンズL５及び負の屈折力を有する第６レンズL６からなり、前記撮像光学レンズの焦点距離をｆ、前記第２レンズの焦点距離をｆ２、前記第３レンズの物体側面の曲率半径をＲ５、前記第３レンズの像側面の曲率半径をＲ６としたときに、条件式−２．５０≦(Ｒ５＋Ｒ６)／(Ｒ５−Ｒ６)≦−１．００、−７．００≦ｆ２／ｆ≦−３．５０を満たす。【選択図】図１
2020109483.tif 000002
【特許請求の範囲】
【請求項１】
撮像光学レンズであって、
物体側から像側に向かって順に、絞りと、正の屈折力を有する第１レンズと、負の屈折力を有する第２レンズと、正の屈折力を有する第３レンズと、負の屈折力を有する第４レンズと、正の屈折力を有する第５レンズと、負の屈折力を有する第６レンズとからなり、
前記撮像光学レンズの焦点距離をｆ、前記第２レンズの焦点距離をｆ２、前記第３レンズの物体側面の曲率半径をＲ５、前記第３レンズの像側面の曲率半径をＲ６としたときに、以下の条件式（１）〜（２）を満たすことを特徴とする撮像光学レンズ。
−２．５０≦(Ｒ５＋Ｒ６)／(Ｒ５−Ｒ６)≦−１．００  （１）
−７．００≦ｆ２／ｆ≦−３．５０  （２）
【請求項２】
前記第５レンズの焦点距離をｆ５としたときに、以下の条件式（３）を満たすことを特徴とする請求項１に記載の撮像光学レンズ。
０．５０≦ｆ５／ｆ≦０．６０  （３）
【請求項３】
前記第５レンズの像側面から前記第６レンズの物体側面までの軸上距離をｄ１０、前記第６レンズの軸上厚みをｄ１１としたときに、以下の条件式（４）を満たすことを特徴とする請求項１に記載の撮像光学レンズ。
０．４０≦ｄ１０／ｄ１１≦０．６０  （４）
【請求項４】
前記第６レンズの物体側面の曲率半径をＲ１１、前記第６レンズの像側面の曲率半径をＲ１２としたときに、以下の条件式（５）を満たすことを特徴とする請求項１に記載の撮像光学レンズ。
０．８０≦(Ｒ１１＋Ｒ１２)／(Ｒ１１−Ｒ１２)≦１．００  （５）
【発明の詳細な説明】
【技術分野】
【０００１】
本発明は、光学レンズ分野に関し、特にスマートフォン、デジタルカメラなどの携帯端末装置と、モニタ、ＰＣレンズなどの撮像装置とに適用される撮像光学レンズに関する。
【背景技術】
【０００２】
近年、スマートフォンの登場に伴い、小型化の撮像レンズに対する需要がますます高まっているが、撮像レンズの感光素子は、一般的に、感光結合素子（Ｃｈａｒｇｅ  Ｃｏｕｐｌｅｄ  Ｄｅｖｉｃｅ、ＣＣＤ）又は相補型金属酸化物半導体素子（Ｃｏｍｐｌｅｍｅｎｔａｒｙ  Ｍｅｔａｌ−ＯｘｉｄｅＳｅｍｉｃｏｎｄｕｃｔｏｒ  Ｓｅｎｓｏｒ、ＣＭＯＳ  Ｓｅｎｓｏｒ）の２種類のみに大別される。また、半導体製造プロセスの技術の進歩により、感光素子の画素サイズが縮小可能であるとともに、現在の電子製品は、優れた機能および軽量化・薄型化・小型化の外観を発展の傾向とする。そのため、良好な結像品質を有する小型化の撮像レンズは、現在の市場において既に主流となっている。
【０００３】
優れた結像品質を得るために、携帯電話のカメラに搭載された従来のレンズは、３枚式、４枚式ひいては５枚式のレンズ構造を用いることが多い。しかしながら、技術の発展及びユーザの多様化のニーズの増加に伴い、感光素子の画素面積が縮小しつつあり且つ結像品質に対するシステムからの要求が高くなってきている場合には、６枚式のレンズ構造が徐々にレンズの設計に現れている。よく見られる６枚式のレンズは、良好な光学性能を有しているが、その屈折力、レンズ間隔、およびレンズ形状の設定には依然としてある程度の非合理性があるので、レンズ構造では、良好な光学性能を有すると共に、大口径、極薄化及び広角化の設計要求を満たすことができない。
【発明の概要】
【発明が解決しようとする課題】
【０００４】
本発明は、上記問題に鑑みてなされたものであり、良好な光学性能を有するとともに、大口径、極薄化及び広角化の設計要求を満たす撮像光学レンズを提供することを目的とする。
【課題を解決するための手段】
【０００５】
上記問題を解決するために、本発明の実施形態は、撮像光学レンズを提供する。前記撮像光学レンズは、物体側から像側に向かって順に、絞りと、正の屈折力を有する第１レンズと、負の屈折力を有する第２レンズと、正の屈折力を有する第３レンズと、負の屈折力を有する第４レンズと、正の屈折力を有する第５レンズと、負の屈折力を有する第６レンズとからなり、
前記撮像光学レンズの焦点距離をｆ、前記第２レンズの焦点距離をｆ２、前記第３レンズの物体側面の曲率半径をＲ５、前記第３レンズの像側面の曲率半径をＲ６としたときに、以下の条件式（１）〜（２）を満たす。
−２．５０≦(Ｒ５＋Ｒ６)／(Ｒ５−Ｒ６)≦−１．００  （１）
−７．００≦ｆ２／ｆ≦−３．５０  （２）
【０００６】
本発明の実施形態は、従来技術に対して、上記レンズの配置方式に基づいて、異なる屈折力を有するレンズと、焦点距離に関して光学レンズ全体とは特定の協調関係を有する第２レンズと、特定の形状を有する第３レンズとを使用し、第２レンズの屈折力を合理的に配分することによって、光学システムの収差の補正に有利であり、光学システムが良好な光学性能を有すると共に、大口径、極薄化及び広角化の設計要求を満足することができる。
【０００７】
また、前記第５レンズの焦点距離をｆ５としたときに、以下の条件式（３）を満たす。
０．５０≦ｆ５／ｆ≦０．６０  （３）
【０００８】
また、前記第５レンズの像側面から前記第６レンズの物体側面までの軸上距離をｄ１０、前記第６レンズの軸上厚みをｄ１１としたときに、以下の条件式（４）を満たす。
０．４０≦ｄ１０／ｄ１１≦０．６０  （４）
【０００９】
また、前記第６レンズの物体側面の曲率半径をＲ１１、前記第６レンズの像側面の曲率半径をＲ１２としたときに、以下の条件式（５）を満たす。
０．８０≦(Ｒ１１＋Ｒ１２)／(Ｒ１１−Ｒ１２)≦１．００  （５）
【図面の簡単な説明】
【００１０】
【図１】本発明の第１実施形態における撮像光学レンズの構造を示す模式図である。
【図２】図１に示す撮像光学レンズの軸上色収差を示す模式図である。
【図３】図１に示す撮像光学レンズの倍率色収差を示す模式図である。
【図４】図１に示す撮像光学レンズの像面湾曲及び歪曲収差を示す模式図である。
【図５】本発明の第２実施形態に係る撮像光学レンズの構造を示す模式図である。
【図６】図５に示す撮像光学レンズの軸上色収差を示す模式図である。
【図７】図５に示す撮像光学レンズの倍率色収差を示す模式図である。
【図８】図５に示す撮像光学レンズの像面湾曲及び歪曲収差を示す模式図である。
【図９】本発明の第３実施形態の撮像光学レンズの構造を示す模式図である。
【図１０】図９に示す撮像光学レンズの軸上色収差を示す模式図である。
【図１１】図９に示す撮像光学レンズの倍率色収差を示す模式図である。
【図１２】図９に示す撮像光学レンズの像面湾曲および歪曲収差を示す模式図である。
【図１３】本発明の第４実施形態の撮像光学レンズの構造を示す模式図である。
【図１４】図１３に示す撮像光学レンズの軸上色収差を示す模式図である。
【図１５】図１３に示す撮像光学レンズの倍率色収差を示す模式図である。
【図１６】図１３に示す撮像光学レンズの像面湾曲および歪曲収差を示す模式図である。
【図１７】本発明の第５実施形態の撮像光学レンズの構造を示す模式図である。
【図１８】図１７に示す撮像光学レンズの軸上色収差を示す模式図である。
【図１９】図１７に示す撮像光学レンズの倍率色収差を示す模式図である。
【図２０】図１７に示す撮像光学レンズの像面湾曲および歪曲収差を示す模式図である。
【発明を実施するための形態】
【００１１】
本発明の目的、解決手段及びメリットがより明瞭になるように、以下、図面を参照しながら本発明の各実施形態を詳細に説明する。しかし、本発明の各実施形態において、本発明が良く理解されるように多くの技術的詳細が与えられているが、それらの技術的詳細および以下の各実施形態に基づく各種の変化及び修正が存在しなくとも、本発明の保護しようとするものを実現可能であることは、当業者に理解されるべきである。
【００１２】
以下は、第１実施形態である。
図面を参照すると、本発明は、撮像光学レンズ１０を提供する。図１は、本発明の第１実施形態の撮像光学レンズ１０を示す。当該撮像光学レンズ１０は、６枚のレンズを備える。具体的に、前記撮像光学レンズ１０は、物体側から像側に向かって順に、絞りＳ１、第１レンズＬ１、第２レンズＬ２、第３レンズＬ３、第４レンズＬ４、第５レンズＬ５及び第６レンズＬ６からなる。本実施形態では、第７レンズＬ７と像面Ｓｉとの間にガラス平板ＧＦなどの光学素子が設けられていることが好ましく、ガラス平板ＧＦが、カバーガラスであってもよく、光学フィルタ（ｆｉｌｔｅｒ）であってもよい。無論、他の実施形態では、ガラス平板ＧＦが他の位置に設けられることも可能である。
【００１３】
本実施形態では、第１レンズＬ１は、正の屈折力を有し、その物体側面が外へ突出して凸面となり、その像側面が凹面であり、第２レンズＬ２は、負の屈折力を有し、その物体側面が凸面であり、その像側面が凹面であり、第３レンズＬ３は、正の屈折力を有し、その物体側面が凸面であり、その像側面が凹面であり、第４レンズＬ４は、負の屈折力を有し、その物体側面が凸面であり、その像側面が凹面であり、第５レンズＬ５は、正の屈折力を有し、その物体側面が凹面であり、像側面が凸面であり、第６レンズＬ６は、負の屈折力を有し、その物体側面が凹面であり、その像側面が凹面である。
【００１４】
また、レンズの表面は、非球面に設けることができ、非球面は、球面以外の形状に容易に形成でき、より多くの制御変数を得ることができるので、収差を低減し、さらに使用されるレンズの数を減らすことができるため、本発明の撮像光学レンズの全長を効果的に低減することが可能となる。本発明の実施形態では、各レンズの物体側面及び像側面は、いずれも非球面である。
【００１５】
ここで、前記撮像光学レンズ１０の焦点距離をｆ、前記第２レンズの焦点距離をｆ２、前記第３レンズの物体側面の曲率半径をＲ５、前記第３レンズの像側面の曲率半径をＲ６として定義する。前記ｆ、ｆ２、Ｒ５及びＲ６は、以下の条件式を満たす。
−２．５０≦(Ｒ５＋Ｒ６)／(Ｒ５−Ｒ６)≦−１．００  （１）
−７．００≦ｆ２／ｆ≦−３．５０  （２）
その中で、条件式（１）は、第３レンズＬ３の形状を規定するものである。Ｒ５とＲ６が条件式（１）で規定された範囲内にあると、レンズを通る光の偏向の程度を緩和でき、収差を効果的に低減できる。
条件式（２）は、第２レンズＬ２と撮像光学レンズ１０全体との焦点距離の比を規定するものである。このように設けると、第２レンズＬ２の屈折力を合理的に配分することができ、光学システムの収差を補正するのに有利となり、さらに結像品質を向上させる。
【００１６】
本実施形態では、上記レンズの配置方式に基づいて、異なる屈折力を持つ各レンズ（Ｌ１、Ｌ２、Ｌ３、Ｌ４、Ｌ５、Ｌ６）と、焦点距離に関して特定の協調関係を有する第２レンズＬ２及び撮像光学レンズ１０全体と、特定の形状を有する第３レンズＬ３とを使用することによって、光学システムが、良好な光学性能を有すると共に、大口径、極薄化及び広角化の設計要求を満足することが可能となる。
【００１７】
好ましくは、本実施形態において、第５レンズＬ５の焦点距離ｆ５が、以下の条件式を満たす。
０．５０≦ｆ５／ｆ≦０．６０  （３）
条件式（３）は、第５レンズＬ５と撮像光学レンズ１０全体との焦点距離の比を規定するものである。ｆ５とｆが条件式（３）で規定された範囲内にあると、光学システムの性能の向上に有利となる。
【００１８】
好ましくは、本実施形態において、第５レンズＬ５の像側面から第６レンズＬ６の物体側面までの軸上距離をｄ１０、第６レンズＬ６の軸上厚みをｄ１１としたときに、ｄ１０とｄ１１が以下の条件式を満たす。
０．４０≦ｄ１０／ｄ１１≦０．６０  （４）
条件式（４）は、第５レンズＬ５の像側面から第６レンズＬ６の物体側面までの軸上距離と第６レンズＬ６の軸上厚みとの比を規定するものである。ｄ１０とｄ１１との比が条件式（４）で規定された範囲内にあると、レンズの加工及びレンズの組立に寄与する。
【００１９】
好ましくは、本実施形態において、第６レンズＬ６の物体側面の曲率半径をＲ１１、第６レンズＬ６の像側面の曲率半径をＲ１２としたときに、Ｒ１１とＲ１２が以下の条件式（５）を満たす。
０．８０≦(Ｒ１１＋Ｒ１２)／(Ｒ１１−Ｒ１２)≦１．００  （５）
条件式（５）は、第６レンズＬ６の形状を規定するものである。このように設けると、光学システムにおける先頭５枚のレンズ（第１レンズＬ１、第２レンズＬ２、第３レンズＬ３、第４レンズＬ４、第５レンズＬ５）で発生された収差を効果的に補正できる。
【００２０】
なお、本実施形態に係る撮像光学レンズ１０を構成する第１レンズＬ１、第２レンズＬ２、第３レンズＬ３、第４レンズＬ４、第５レンズＬ５及び第６レンズＬ６が、上記した構成とパラメータ関係を有しているため、撮像光学レンズ１０が各レンズの屈折力、面型、材料及び各レンズの軸上厚みなどを合理的に配分でき、それによって様々な種類の収差を補正することができる。本発明における撮像光学レンズ１０の結像光学系は、Ｆｎｏ≦１．８０である。撮像光学レンズ１０の光学長ＴＴＬ及び撮像光学レンズ１０の像高ＩＨは、条件式ＴＴＬ／ＩＨ≦１．４１を満たす。撮像光学レンズ１０の画角ＦＯＶは、条件式ＦＯＶ≧８４．００度を満たす。良好な光学結像性能を有すると共に、大口径、極薄化及び広角化の設計要求を満足することが実現される。
【００２１】
図１は、第１実施形態における撮像光学レンズ１０の構造を示す模式図である。以下に、本発明の第１実施形態における撮像光学レンズ１０の設計データを示す。
【００２２】
表１は、本発明の第１実施形態において撮像光学レンズ１０を構成する第１レンズＬ１〜第６レンズＬ６の物体側及び像側の曲率半径Ｒ、レンズの軸上厚み、レンズ間の距離ｄ、屈折率ｎｄ及びアッベ数ｖｄを挙げる。表２は、撮像光学レンズ１０の円錐係数ｋ及び非球面係数を示す。なお、本実施形態では、距離、半径及び軸上厚みの単位は、ミリメートル（ｍｍ）である。
【００２３】
【表１】
2020109483.tif 000003
【００２４】
上記表において、各符号の意味は、以下の通りである。
Ｒ    ：光学面の曲率半径、レンズの場合は中心曲率半径
Ｓ１  ：絞り
Ｒ１  ：第１レンズＬ１の物体側面の曲率半径
Ｒ２  ：第１レンズＬ１の像側面の曲率半径 
Ｒ３  ：第２レンズＬ２の物体側面の曲率半径
Ｒ４  ：第２レンズＬ２の像側面の曲率半径
Ｒ５  ：第３レンズＬ３の物体側面の曲率半径
Ｒ６  ：第３レンズＬ３の像側面の曲率半径
Ｒ７  ：第４レンズＬ４の物体側面の曲率半径
Ｒ８  ：第４レンズＬ４の像側面の曲率半径
Ｒ９  ：第５レンズＬ５の物体側面の曲率半径
Ｒ１０：第５レンズＬ５の像側面の曲率半径
Ｒ１１ ：第６レンズＬ６の物体側面の曲率半径
Ｒ１２ ：第６レンズＬ６の像側面の曲率半径
Ｒ１３ ：ガラス平板ＧＦの物体側面の曲率半径
Ｒ１４ ：ガラス平板ＧＦの像側面の曲率半径
ｄ     ：レンズの軸上厚み、又は、隣接するレンズ間の軸上距離
ｄ０   ：絞りＳ１から第１レンズＬ１の物体側面までの軸上距離
ｄ１   ：第１レンズＬ１の軸上厚み
ｄ２   ：第１レンズＬ１の像側面から第２レンズＬ２の物体側面までの軸上距離
ｄ３   ：第２レンズＬ２の軸上厚み
ｄ４   ：第２レンズＬ２の像側面から第３レンズＬ３の物体側面までの軸上距離
ｄ５   ：第３レンズＬ３の軸上厚み
ｄ６   ：第３レンズＬ３の像側面から第４レンズＬ４の物体側面までの軸上距離
ｄ７   ：第４レンズＬ４の軸上厚み
ｄ８   ：第４レンズＬ４の像側面から第５レンズＬ５の物体側面までの軸上距離
ｄ９   ：第５レンズＬ５の軸上厚み
ｄ１０ ：第５レンズＬ５の像側面から第６レンズＬ６の物体側面までの軸上距離
ｄ１１ ：第６レンズＬ６の軸上厚み
ｄ１２ ：第６レンズＬ６の像側面からガラス平板ＧＦの物体側面までの軸上距離
ｄ１３ ：ガラス平板ＧＦの軸上厚み
ｄ１４ ：ガラス平板ＧＦの像側面から像面Ｓｉまでの軸上距離
ｎｄ   ：ｄ線の屈折率
ｎｄ１ ：第１レンズＬ１のｄ線の屈折率
ｎｄ２ ：第２レンズＬ２のｄ線の屈折率
ｎｄ３ ：第３レンズＬ３のｄ線の屈折率
ｎｄ４ ：第４レンズＬ４のｄ線の屈折率
ｎｄ５ ：第５レンズＬ５のｄ線の屈折率
ｎｄ６ ：第６レンズＬ６のｄ線の屈折率
ｎｄｇ ：ガラス平板ＧＦのｄ線の屈折率
ｖｄ    ：アッベ数
ｖ１    ：第１レンズＬ１のアッベ数
ｖ２    ：第２レンズＬ２のアッベ数
ｖ３    ：第３レンズＬ３のアッベ数
ｖ４    ：第４レンズＬ４のアッベ数
ｖ５    ：第５レンズＬ５のアッベ数
ｖ６    ：第６レンズＬ６のアッベ数
ｖｇ    ：ガラス平板ＧＦのアッベ数
【００２５】
【表２】
2020109483.tif 000004
【００２６】
表２において、ｋは円錐係数であり、Ａ４、Ａ６、Ａ８、Ａ１０、Ａ１２、Ａ１４、Ａ１６は非球面係数である。
【００２７】
なお、本実施形態では、各レンズ面の非球面は、下記式(６)で表される非球面を使用している。しかしながら、下記式（６）の具体例は、一例に過ぎなく、本発明は、特にこの式（６）の非球面多項式に限定されるものではない。
ｙ=(ｘ２／Ｒ)／[１＋{１−(１＋ｋ)(ｘ２／Ｒ２)}１／２]
＋Ａ４ｘ４＋Ａ６ｘ６＋Ａ８ｘ８＋Ａ１０ｘ１０＋Ａ１２ｘ１２＋Ａ１４ｘ１４＋Ａ１６ｘ１６                                          （６）
【００２８】
表３、表４は、本発明の実施形態に係る撮像光学レンズ１０における各レンズの変曲点及び停留点の設計データを示す。ここで、Ｐ１Ｒ１、Ｐ１Ｒ２は、それぞれ第１レンズＬ１の物体側面と像側面を示し、Ｐ２Ｒ１、Ｐ２Ｒ２は、それぞれ第２レンズＬ２の物体側面と像側面を示し、Ｐ３Ｒ１、Ｐ３Ｒ２は、それぞれ第３レンズＬ３の物体側面と像側面を示し、Ｐ４Ｒ１、Ｐ４Ｒ２は、それぞれ第４レンズＬ４の物体側面と像側面を示し、Ｐ５Ｒ１、Ｐ５Ｒ２は、それぞれ第５レンズＬ５の物体側面と像側面を示し、Ｐ６Ｒ１、Ｐ６Ｒ２は、それぞれ第６レンズＬ６の物体側面と像側面を示す。「変曲点位置」欄の対応するデータは、各レンズの表面に設置された変曲点から撮像光学レンズ１０の光軸までの垂直距離である。「停留点位置」欄の対応するデータは、各レンズの表面に設置された停留点から撮像光学レンズ１０の光軸までの垂直距離である。
【００２９】
【表３】
2020109483.tif 000005
【００３０】
【表４】
2020109483.tif 000006
【００３１】
また、後の表２１において、第１実施形態における各種パラメータ、及び条件式で規定したパラメータに対応する値をさらに示す。
【００３２】
図２、図３は、それぞれ波長４３５ｎｍ、４７０ｎｍ、５１０ｎｍ、５５５ｎｍ、６１０ｎｍ及び６５０ｎｍの光が第１実施形態に係る撮像光学レンズ１０を通った後の軸上色収差及び倍率色収差を示す模式図である。図４は、波長５５５ｎｍの光が第１実施形態に係る撮像光学レンズ１０を通った後の像面湾曲及び歪曲収差を示す模式図であり、図４の像面湾曲Ｓは、サジタル方向の像面湾曲であり、Ｔは、タンジェンシャル方向の像面湾曲である。
【００３３】
本実施形態において、前記撮像光学レンズの入射瞳径が１．８６４ｍｍであり、全視野の像高が３．１４７ｍｍであり、対角線方向の画角が８５．０９°であり、このように、撮像光学レンズ１０が、大口径、極薄かつ広角であり、かつ、優れた結像性能を有する。
【００３４】
以下は、第２実施形態である。
【００３５】
図５は、本発明の第２実施形態に係る撮像光学レンズ２０の構造を示す模式図である。第２実施形態は、第１実施形態と基本的に同じであり、符号の意味も第１実施形態と同様であるため、相違点のみを以下に示す。
【００３６】
表５、表６は、本発明の第２実施形態に係る撮像光学レンズ２０の設計データを示す。
【００３７】
【表５】
2020109483.tif 000007
【００３８】
【表６】
2020109483.tif 000008
【００３９】
表７、表８は本発明の実施形態２に係る撮像光学レンズ２０における各レンズの変曲点及び停留点の設計データを示す。
【００４０】
【表７】
2020109483.tif 000009
【００４１】
【表８】
2020109483.tif 000010
【００４２】
後の表２１において、第２実施形態における各種パラメータ、及び条件式で規定したパラメータに対応する値をさらに示す。
【００４３】
図６、図７は、それぞれ波長４７０ｎｍ、５１０ｎｍ、５５５ｎｍ、６１０ｎｍ及び６５０ｎｍの光が第２実施形態に係る撮像光学レンズ２０を通った後の軸上色収差及び倍率色収差を示す模式図である。図８は、波長５５５ｎｍの光が第２実施形態に係る撮像光学レンズ２０を通った後の像面湾曲及び歪曲収差を示す模式図である。図８の像面湾曲Ｓは、サジタル方向の像面湾曲であり、Ｔは、タンジェンシャル方向の像面湾曲である。
【００４４】
本実施形態の撮像光学レンズ２０において、前記撮像光学レンズの入射瞳径が１．８７６ｍｍであり、全視野の像高が３．１４７ｍｍであり、対角線方向の画角が８４．６９°であり、このように、撮像光学レンズ２０が、大口径、極薄かつ広角であり、かつ、優れた結像性能を有する。
【００４５】
以下は、第３実施形態である。
【００４６】
図９は、本発明の第３実施形態に係る撮像光学レンズ３０の構造を示す模式図である。第３実施形態は、第１実施形態と基本的に同じであり、符号の意味も第１実施形態と同様であるため、相違点のみを以下に示す。
【００４７】
表９、表１０は、本発明の第３実施形態に係る撮像光学レンズ３０の設計データを示す。
【００４８】
【表９】
2020109483.tif 000011
【００４９】
【表１０】
2020109483.tif 000012
【００５０】
表１１、表１２は本発明の実施形態３に係る撮像光学レンズ３０における各レンズの変曲点及び停留点の設計データを示す。
【００５１】
【表１１】
2020109483.tif 000013
【００５２】
【表１２】
2020109483.tif 000014
【００５３】
後の表２１において、第３実施形態における各種パラメータ、及び条件式で規定したパラメータに対応する値をさらに示す。
【００５４】
図１０、図１１は、それぞれ波長４７０ｎｍ、５１０ｎｍ、５５５ｎｍ、６１０ｎｍ及び６５０ｎｍの光が第３実施形態に係る撮像光学レンズ３０を通った後の軸上色収差及び倍率色収差を示す模式図である。図１２は、波長５５５ｎｍの光が第３実施形態に係る撮像光学レンズ３０を通った後の像面湾曲及び歪曲収差を示す模式図である。図１２の像面湾曲Ｓは、サジタル方向の像面湾曲であり、Ｔは、タンジェンシャル方向の像面湾曲である。
【００５５】
本実施形態の撮像光学レンズ３０において、前記撮像光学レンズの入射瞳径が１．８６１ｍｍであり、全視野の像高が３．１４７ｍｍであり、対角線方向の画角が８５．０９°であり、このように、撮像光学レンズ３０が、大口径、極薄かつ広角であり、かつ、優れた結像性能を有する。
【００５６】
以下は、第４実施形態である。
【００５７】
図１３は、本発明の第４実施形態に係る撮像光学レンズ４０の構造を示す模式図である。第４実施形態は、第１実施形態と基本的に同じであり、符号の意味も第１実施形態と同様であるため、相違点のみを以下に示す。
【００５８】
表１３、表１４は、本発明の第４実施形態に係る撮像光学レンズ４０の設計データを示す。
【００５９】
【表１３】
2020109483.tif 000015
【００６０】
【表１４】
2020109483.tif 000016
【００６１】
表１５、表１６は本発明の実施形態４に係る撮像光学レンズ４０における各レンズの変曲点及び停留点の設計データを示す。
【００６２】
【表１５】
2020109483.tif 000017
【００６３】
【表１６】
2020109483.tif 000018
【００６４】
後の表２１において、第４実施形態における各種パラメータ、及び条件式で規定したパラメータに対応する値をさらに示す。
【００６５】
図１４、図１５は、波長４７０ｎｍ、５１０ｎｍ、５５５ｎｍ、６１０ｎｍ及び６５０ｎｍの光が第４実施形態に係る撮像光学レンズ４０を通った後の軸上色収差及び倍率色収差を示す模式図である。図１６は、波長５５５ｎｍの光が第４実施形態に係る撮像光学レンズ４０を通った後の像面湾曲及び歪曲収差を示す模式図である。図１６の像面湾曲Ｓは、サジタル方向の像面湾曲であり、Ｔは、タンジェンシャル方向の像面湾曲である。
【００６６】
本実施形態の撮像光学レンズ４０において、前記撮像光学レンズの入射瞳径が１．８７１ｍｍであり、全視野の像高が３．１４７ｍｍであり、対角線方向の画角が８４．９７°であり、このように、撮像光学レンズ４０が、大口径、極薄かつ広角であり、かつ、優れた結像性能を有する。
【００６７】
以下は、第５実施形態である。
【００６８】
図１７は、本発明の第５実施形態に係る撮像光学レンズ５０の構造を示す模式図である。第５実施形態は、第１実施形態と基本的に同じであり、符号の意味も第１実施形態と同様であるため、相違点のみを以下に示す。
【００６９】
表１７、表１８は、本発明の第５実施形態に係る撮像光学レンズ５０の設計データを示す。
【００７０】
【表１７】
2020109483.tif 000019
【００７１】
【表１８】
2020109483.tif 000020
【００７２】
表１９、表２０は本発明の実施形態５に係る撮像光学レンズ５０における各レンズの変曲点及び停留点の設計データを示す。
【００７３】
【表１９】
2020109483.tif 000021
【００７４】
【表２０】
2020109483.tif 000022
【００７５】
後の表２１において、第５実施形態における各種パラメータ、及び条件式で規定したパラメータに対応する値をさらに示す。
【００７６】
図１８、図１９は、それぞれ波長４７０ｎｍ、５１０ｎｍ、５５５ｎｍ、６１０ｎｍ及び６５０ｎｍの光が第５実施形態に係る撮像光学レンズ５０を通った後の軸上色収差及び倍率色収差を示す模式図である。図２０は、波長５５５ｎｍの光が第５実施形態に係る撮像光学レンズ５０を通った後の像面湾曲及び歪曲収差を示す模式図である。図２０の像面湾曲Ｓは、サジタル方向の像面湾曲であり、Ｔは、タンジェンシャル方向の像面湾曲である。
【００７７】
本実施形態の撮像光学レンズ５０において、前記撮像光学レンズの入射瞳径が１．８８９ｍｍであり、全視野の像高が３．１４７ｍｍであり、対角線方向の画角が８４．３６°であり、このように、撮像光学レンズ５０が、大口径、極薄かつ広角であり、かつ、優れた結像性能を有する。
【００７８】
以下、表２１では、上記条件式に従って、第１実施形態、第２実施形態、第３実施形態、第４実施形態及び第５実施形態における各条件式（１）、（２）、（３）、（４）及び（５）に対応する値、及び他の関連パラメータの取り得る値を挙げている。
【００７９】
【表２１】
2020109483.tif 000023
【００８０】
当業者であれば分かるように、上記各実施形態が本発明を実現するための具体的な実施形態であり、実際の応用において、本発明の要旨と範囲から逸脱しない限り、形式及び詳細に対する各種の変更は可能である。
【図１】
2020109483.tif 000024
【図２】
2020109483.tif 000025
【図３】
2020109483.tif 000026
【図４】
2020109483.tif 000027
【図５】
2020109483.tif 000028
【図６】
2020109483.tif 000029
【図７】
2020109483.tif 000030
【図８】
2020109483.tif 000031
【図９】
2020109483.tif 000032
【図１０】
2020109483.tif 000033
【図１１】
2020109483.tif 000034
【図１２】
2020109483.tif 000035
【図１３】
2020109483.tif 000036
【図１４】
2020109483.tif 000037
【図１５】
2020109483.tif 000038
【図１６】
2020109483.tif 000039
【図１７】
2020109483.tif 000040
【図１８】
2020109483.tif 000041
【図１９】
2020109483.tif 000042
【図２０】
2020109483.tif 000043